(57)【要約】【課題】パネル体を保持する押縁を枠本体に容易に取り付けて、押縁の施工性を向上させる。【解決手段】枠本体３０は、パネル体４に対して開口部３の外方側に配置される被取付部５０と、被取付部５０に設けられた被係合片５２、５３を有する。押縁４０は、被取付部５０に係合して取り付けられる取付部６０と、取付部６０に設けられた係合片６３、６４を有する。係合片６３、６４は、被係合片５２、５３に引っ掛かる状態で係合する。被取付部５０と取付部６０は、被取付部５０に対する取付部６０の押し付けに伴い、互いに接触して、係合片６３、６４を被係合片５２、５３に引っ掛かる位置にガイドする一対のガイド部７０、７１を有する。【選択図】  図４
2018076753.tif 000002
【特許請求の範囲】
【請求項１】
開口部を形成する枠本体と押縁により、前記開口部に配置されたパネル体を保持する枠における押縁の取付構造であって、
前記枠本体は、前記パネル体に対して前記枠の見込み方向の一方側に配置されて前記パネル体を保持する保持部と、前記パネル体に対して前記開口部の外方側に配置される被取付部と、前記被取付部に設けられて前記枠の見込み方向の一方側に突出する被係合片と、を有し、
前記押縁は、前記パネル体に対して前記枠の見込み方向の他方側に配置されて前記パネル体を保持する保持部と、前記被取付部に係合して取り付けられる取付部と、前記取付部に設けられて前記枠の見込み方向の他方側に突出する係合片と、を有し、
前記係合片は、前記被係合片に引っ掛かる状態で係合し、
前記被取付部と前記取付部は、前記被取付部に対する前記取付部の押し付けに伴い、互いに接触して、前記係合片を前記被係合片に引っ掛かる位置にガイドする一対のガイド部を有する押縁の取付構造。
【請求項２】
請求項１に記載された押縁の取付構造において、
前記一対のガイド部の一方は、前記被取付部と前記取付部の一方に設けられ、前記係合片を前記被係合片に向かって変位させる変位ガイドであり、
前記一対のガイド部の他方は、前記被取付部と前記取付部の他方に設けられ、前記変位ガイドをスライドして、前記変位ガイドのガイドにより前記係合片を前記被係合片まで変位させるスライド部である押縁の取付構造。
【請求項３】
請求項１又は２に記載された押縁の取付構造において、
前記枠本体は、前記押縁と接触して、前記取付部を前記被取付部に向かってガイドするガイド面を有する押縁の取付構造。
【請求項４】
請求項１ないし３のいずれかに記載された押縁の取付構造において、
前記被取付部は、前記枠の見込み方向に離して並置された２つの前記被係合片を有し、
前記取付部は、前記枠の見込み方向に離して並置されて、それぞれ前記被係合片に係合する２つの前記係合片を有する押縁の取付構造。
【請求項５】
請求項１ないし４のいずれかに記載された押縁の取付構造における押縁の取付方法であって、
前記取付部を前記被取付部に向かって移動させて、前記取付部のガイド部を前記被取付部のガイド部に接触させる工程と、
前記取付部を前記被取付部に押し付けて、互いに接触する前記一対のガイド部により、前記係合片を前記被係合片に引っ掛かる位置にガイドする工程と、
前記係合片を前記被係合片に引っ掛かる状態で係合する工程と、
を有する押縁の取付方法。
【発明の詳細な説明】
【技術分野】
【０００１】
本発明は、枠本体と押縁によりパネル体を保持する枠における押縁の取付構造、及び、押縁の取付方法に関する。
【背景技術】
【０００２】
カーテンウォールや窓等では、パネル体を保持する枠として、枠本体と押縁を有する枠が広く用いられている。パネル体は、枠本体により形成された開口部に配置される。その状態で、押縁は、枠本体に取り付けられて、枠本体と共にパネル体を保持する。また、従来、押縁を備えた窓として、押縁を枠（枠本体）の２箇所に係止する断熱嵌殺し窓が知られている（特許文献１参照）。
【０００３】
ところが、特許文献１に記載された従来の窓では、押縁を枠の２箇所に同時に係止する必要があり、押縁を枠に取り付け難いことがある。また、枠への取り付け時には、まず、押縁をガラス板（パネル体）側に移動させて、ガラス板に沿って押縁を移動させる。続いて、押縁をガラス板から離間させて、枠の２箇所に押縁を係止する。そのため、押縁の係止に手間がかかり、押縁の施工を簡単に行えない虞がある。押縁の移動時には、押縁とガラス板の間に指を入れ難く、押縁の姿勢を安定させるのも困難である。押縁の姿勢によっては、押縁を枠に正確に係止できない虞もある。
【先行技術文献】
【特許文献】
【０００４】
【特許文献１】特許第４００１８２９号公報
【発明の概要】
【発明が解決しようとする課題】
【０００５】
本発明は、前記従来の問題に鑑みなされたもので、その目的は、枠によりパネル体を保持するときに、押縁を枠本体に容易に取り付けて、押縁の施工性を向上させることである。
【課題を解決するための手段】
【０００６】
本発明は、開口部を形成する枠本体と押縁により、前記開口部に配置されたパネル体を保持する枠における押縁の取付構造である。前記枠本体は、前記パネル体に対して前記枠の見込み方向の一方側に配置されて前記パネル体を保持する保持部と、前記パネル体に対して前記開口部の外方側に配置される被取付部と、前記被取付部に設けられて前記枠の見込み方向の一方側に突出する被係合片と、を有する。前記押縁は、前記パネル体に対して前記枠の見込み方向の他方側に配置されて前記パネル体を保持する保持部と、前記被取付部に係合して取り付けられる取付部と、前記取付部に設けられて前記枠の見込み方向の他方側に突出する係合片と、を有する。前記係合片は、前記被係合片に引っ掛かる状態で係合する。前記被取付部と前記取付部は、前記被取付部に対する前記取付部の押し付けに伴い、互いに接触して、前記係合片を前記被係合片に引っ掛かる位置にガイドする一対のガイド部を有する。
また、本発明は、本発明の押縁の取付構造における押縁の取付方法である。押縁の取付方法は、前記取付部を前記被取付部に向かって移動させて、前記取付部のガイド部を前記被取付部のガイド部に接触させる工程と、前記取付部を前記被取付部に押し付けて、互いに接触する前記一対のガイド部により、前記係合片を前記被係合片に引っ掛かる位置にガイドする工程と、前記係合片を前記被係合片に引っ掛かる状態で係合する工程と、を有する。
【発明の効果】
【０００７】
本発明によれば、枠によりパネル体を保持するときに、押縁を枠本体に容易に取り付けて、押縁の施工性を向上させることができる。
【図面の簡単な説明】
【０００８】
【図１】本実施形態のカーテンウォールの正面図である。
【図２】本実施形態のカーテンウォールの横断面図である。
【図３】本実施形態のカーテンウォールの縦断面図である。
【図４】本実施形態の押縁の取付構造を示す断面図である。
【図５】押縁の取付部を枠本体の被取付部に取り付ける手順を示す断面図である。
【図６】押縁の取付部を枠本体の被取付部に取り付ける手順を示す断面図である。
【図７】押縁の取付部を枠本体の被取付部に取り付ける手順を示す断面図である。
【図８】押縁の取付部を枠本体の被取付部に取り付ける手順を示す断面図である。
【図９】押縁の取付部を枠本体の被取付部に取り付ける手順を示す断面図である。
【図１０】押縁の取付部を枠本体の被取付部に取り付ける手順を示す断面図である。
【図１１】押縁の取付部を枠本体の被取付部に取り付ける手順を示す断面図である。
【図１２】他の実施形態の押縁の取付構造を示す断面図である。
【図１３】他の実施形態の押縁の取付構造を示す断面図である。
【図１４】他の実施形態の押縁の取付構造を示す断面図である。
【発明を実施するための形態】
【０００９】
本発明の押縁の取付構造と押縁の取付方法の一実施形態について、図面を参照して説明する。
本実施形態の押縁は、パネル体を保持する保持部材であり、本実施形態の押縁の取付構造により、枠の枠本体に脱着可能に取り付けられる。また、押縁は、本実施形態の押縁の取付構造における押縁の取付方法により、枠本体に取り付けられて、枠本体と共にパネル体を保持する。以下では、カーテンウォールを例にとり、押縁の取付構造と押縁の取付方法について説明する。
【００１０】
図１は、本実施形態のカーテンウォール１の正面図であり、室外からみたカーテンウォール１を示している。
図示のように、カーテンウォール１は、建物の壁部に設置されて、建物の室内と室外の間に配置される。また、カーテンウォール１は、枠体２と、枠体２の開口部３に配置されるパネル体４を備えている。パネル体４は、方形状の面材であり、枠体２の開口部３を閉鎖する。また、パネル体４は、例えば、ガラス板、複層ガラス、又は、腰パネルであり、枠体２に嵌め込まれて、枠体２に固定される。
【００１１】
枠体２は、格子状に枠組みされた複数の枠５を有し、複数の枠５によりパネル体４を保持する。複数の枠５は、枠体２を構成する長尺部材（枠材）であり、複数の方立６と、複数の無目７を有する。複数の方立６は、垂直方向に配置される枠体２の縦枠であり、水平方向に間隔を開けて順に配置される。複数の無目７は、水平方向に配置される枠体２の横枠であり、垂直方向に間隔を開けて順に配置される。複数の方立６と複数の無目７は、互いに直交して配置されて、開口部３を囲むように連結される。
【００１２】
枠体２は、複数の枠５（方立６、無目７）により、方形状の複数の開口部３を形成する。複数の開口部３は、垂直方向と水平方向に並べて形成される。複数の枠５は、パネル体４の縁部（上縁部、下縁部、一対の縦縁部）に沿って配置される。パネル体４の縁部が枠５により保持されて、パネル体４が枠体２の開口部３に保持される。パネル体４の縦縁部は方立６により保持され、パネル体４の上縁部と下縁部は無目７により保持される。
【００１３】
図２は、本実施形態のカーテンウォール１の横断面図であり、図１のＸ１−Ｘ１線で切断したカーテンウォール１を示している。
図示のように、方立６は、２つの開口部３の間に位置する枠５であり、例えば、押出成形により成形される。また、方立６は、室内側に位置する中空状の基部１０と、室外側に位置する２つの収容部１１、１２と、各開口部３に配置されたパネル体４を保持する二対の保持部１３〜１６を有する。２つの収容部１１、１２は、それぞれ開口部３に向かって開放された凹部であり、２つの開口部３に対応して、方立６の見付け方向の両側に形成されている。
【００１４】
右側と左側のパネル体４の縦縁部が収容部１１、１２に収容されて、保持部１３〜１６がパネル体４の縦縁部に沿って配置される。一方側の収容部１１に収容されたパネル体４の縦縁部は、一対の保持部１３、１４の間に配置されて、一対の保持部１３、１４に保持される。他方側の収容部１２に収容されたパネル体４の縦縁部は、一対の保持部１５、１６の間に配置されて、一対の保持部１５、１６に保持される。ガスケット１７が、室内側の保持部１３、１５に取り付けられて、パネル体４の室内側の面に接触する。また、バックアップ材１８とシール材１９が、室外側の保持部１４、１６とパネル体４の間に配置されて、パネル体４の室外側の面に接触する。
【００１５】
図３は、本実施形態のカーテンウォール１の縦断面図であり、図１のＸ２−Ｘ２線で切断したカーテンウォール１を示している。
図示のように、無目７は、２つの開口部３の間に位置する枠５であり、２つの方立６の間に配置される。無目７の両端部が方立６に連結されて、無目７が２つの方立６により支持される。また、無目７は、板状のカバー２０と、２つの収容部２１、２２と、各開口部３に配置されたパネル体４を保持する二対の保持部２３〜２６と、開口部３を形成する枠本体３０と、枠本体３０に取り付けられる押縁４０を有する。カバー２０は、枠本体３０の室外側の部分に取り付けられて、無目７の室外側の部分を覆う。
【００１６】
２つの収容部２１、２２は、それぞれ開口部３に向かって開放された凹部であり、２つの開口部３に対応して、無目７の見付け方向の両側に形成されている。上側の収容部２１は、枠本体３０により形成され、下側の収容部２２は、枠本体３０と押縁４０により形成される。上側のパネル体４の下縁部は、上側の収容部２１に収容され、下側のパネル体４の上縁部は、下側の収容部２２に収容される。
【００１７】
上側の収容部２１に収容されたパネル体４の下縁部は、一対の保持部２３、２４の間に配置されて、一対の保持部２３、２４に保持される。一対の保持部２３、２４は、パネル体４の下縁部に沿って配置される。下側の収容部２２に収容されたパネル体４の上縁部は、一対の保持部２５、２６の間に配置されて、一対の保持部２５、２６に保持される。一対の保持部２５、２６は、パネル体４の上縁部に沿って配置される。３つの保持部２３〜２５は、枠本体３０に設けられ、１つの保持部２６は、押縁４０に設けられている。
【００１８】
ガスケット１７が、下側かつ室内側の保持部２５に取り付けられて、パネル体４の室内側の面に接触する。また、バックアップ材１８とシール材１９が、他の保持部（上側の一対の保持部２３、２４、下側かつ室外側の保持部２６）とパネル体４の間に配置されて、パネル体４の室外側の面に接触する。なお、ガスケット１７を上側かつ室内側の保持部２３に取り付けてもよい。また、バックアップ材１８とシール材１９を下側かつ室内側の保持部２５とパネル体４の間に配置してもよい。
【００１９】
枠本体３０は、枠５（ここでは、無目７）のベース部材であり、例えば、金属（アルミニウム合金等）の押出成形により成形される。また、枠本体３０は、室内側に位置する中空状の基部３１と、パネル体４を保持する保持部２３〜２５と、押縁４０が取り付けられる被取付部５０と、押縁４０をガイドするガイド面３２を有する。被取付部５０は、基部３１から室外側に突出して、２つのパネル体４の間に配置される。保持部２３は、基部３１から室外側に突出し、保持部２４は、被取付部５０の先端部から上側に突出する。保持部２５は、基部３１の一部であり、押縁４０に対向して配置される。
【００２０】
押縁４０は、パネル体４を保持する保持部２６と、枠本体３０の被取付部５０に取り付けられる取付部６０を有し、屈曲形状に形成されている。押縁４０の取付部６０は、板状の保持部２６から室内側に突出し、収容部２２内で、枠本体３０の被取付部５０に重ねて配置される。また、押縁４０の取付部６０は、枠本体３０の被取付部５０に係合して、被取付部５０に係合により取り付けられる。無目７は、枠本体３０と押縁４０により、開口部３に配置されたパネル体４を保持する。以下、無目７である枠５における押縁４０の取付構造８Ａについて、詳しく説明する。
【００２１】
図４は、本実施形態の押縁４０の取付構造８Ａを示す断面図であり、図３の一部を拡大して示している。また、図４は、カバー２０とパネル体４を鎖線で示している。
図示のように、枠本体３０の保持部２５は、パネル体４に対して枠５（ここでは、無目７）の見込み方向の一方側に配置され、押縁４０の保持部２６は、パネル体４に対して枠５の見込み方向の他方側に配置される。また、枠本体３０の被取付部５０と押縁４０の取付部６０は、パネル体４に対して開口部３の外方側に配置される。
【００２２】
枠５の見込み方向は、枠５の奥行方向であり、枠５の見付け方向は、枠５の幅方向である。以下では、枠５の見込み方向を単に見込み方向といい、枠５の見付け方向を単に見付け方向という。また、見込み方向の一方側は、見込み方向における両側のうちの一方側であり、見込み方向の他方側は、見込み方向における両側のうちの他方側（一方側の反対側）である。開口部３の内方側は、見付け方向における開口部３の内方側（内部側）であり、開口部３の外方側は、見付け方向における開口部３の外方側（外部側）である。
【００２３】
押縁４０の取付構造８Ａに関して方向又は位置等を表すときには、見込み方向の一方側、見込み方向の他方側、開口部３の内方側、及び、開口部３の外方側を用い、それらにより方向又は位置等を説明する。ここでは、見込み方向は、室内外方向であり、見付け方向は、上下方向である。また、見込み方向の一方側は、室内側であり、見込み方向の他方側は、室外側である。開口部３の内方側は、下側であり、開口部３の外方側は、上側である。
【００２４】
枠本体３０の被取付部５０は、見込み方向に沿って形成された見込み部５１と、少なくとも１つの被係合片（ここでは、２つの被係合片５２、５３）と、被係合片５２、５３を見込み部５１に連結する連結部５４、５５と、凹部５６、５７を有する。見込み部５１は、板状に形成され、基部３１から見込み方向の他方側に突出する。２つの連結部５４、５５は、見込み部５１から開口部３の内方側に突出する突出部であり、見込み方向に離して並置される。見込み方向の一方側の連結部５４は、見込み方向における見込み部５１の中間部に形成され、見込み方向の他方側の連結部５５は、見込み方向の他方側に位置する見込み部５１の先端部に形成されている。
【００２５】
２つの被係合片５２、５３は、見込み方向に沿って形成されて、それぞれ連結部５４、５５の先端部から見込み方向の一方側に突出する。また、連結部５４、５５と同様に、２つの被係合片５２、５３は、見込み部５１に対して開口部３の内方側に設けられて、見込み方向に離して並置される。見込み方向の一方側の被係合片５２は、見込み方向において、被係合片５３と保持部２５の間に設けられ、見込み方向の他方側の被係合片５３は、見込み部５１の先端部に設けられる。
【００２６】
被係合片５２、５３は、見付け方向にずれることなく、見付け方向の同じ位置に形成される。２つの凹部５６、５７は、見込み方向の一方側に向かって開放された溝部であり、見込み部５１、連結部５４、５５、及び、被係合片５２、５３により形成される。見込み方向の一方側の凹部５６は、被係合片５２に対して開口部３の外方側に設けられ、見込み方向の他方側の凹部５７は、被係合片５３に対して開口部３の外方側に設けられる。
【００２７】
枠本体３０のガイド面３２は、平滑な平面に形成され、パネル体４よりも見込み方向の一方側の位置に設けられる。また、ガイド面３２は、パネル体４側に位置する枠本体３０の見付け面であり、保持部２５と被取付部５０の間で、見付け方向に沿って形成される。ガイド面３２は、保持部２５に対して開口部３の外方側に形成されるとともに、被取付部５０に対して開口部３の内方側に形成される。被取付部５０の被係合片５２は、ガイド面３２に対して見込み方向の他方側に設けられ、ガイド面３２から離して形成される。
【００２８】
押縁４０の保持部２６は、取付部６０から開口部３の内方側に突出する突片であり、枠本体３０のガイド面３２及び保持部２５に対向して配置される。押縁４０の取付部６０は、保持部２６からガイド面３２に向かって突出して、保持部２６とガイド面３２の間に配置される。また、押縁４０の取付部６０は、見込み方向の一方側に突出し、枠本体３０の被取付部５０に対して、開口部３の内方側に配置される。パネル体４は、被取付部５０及び取付部６０に対して開口部３の内方側に配置されるとともに、取付部６０から離れた位置に配置される。押縁４０の取付部６０は、パネル体４と被取付部５０の間に形成される空間（取付空間３３）で移動して、枠本体３０の被取付部５０に取り付けられる。
【００２９】
押縁４０の取付部６０は、突起６１Ａ、６１Ｂと、板状の対向部６２Ａ、６２Ｂと、少なくとも１つの係合片（ここでは、２つの係合片６３、６４）と、係合片６３、６４を対向部６２Ａ、６２Ｂに連結する連結部６５、６６と、板状の傾斜部６７と、凹部６８、６９を有する。見込み方向の他方側の突起６１Ｂは、保持部２６側に位置する対向部６２Ｂの端部に形成されて、被係合片５３に接触する。見込み方向の一方側の突起６１Ａは、対向部６２Ａに形成されて、被係合片５２に接触する。２つの突起６１Ａ、６１Ｂにより、開口部３の外方側に向かう押縁４０の移動が阻止されて、押縁４０が位置決めされる。
【００３０】
２つの対向部６２Ａ、６２Ｂは、見込み方向に沿って形成されて、枠本体３０の被係合片５２、５３に対向して配置される。見込み方向の他方側の対向部６２Ｂは、押縁４０の保持部２６から見込み方向の一方側に突出する。見込み方向の一方側の対向部６２Ａは、対向部６２Ｂに対して見込み方向の一方側に離して形成される。対向部６２Ａ、６２Ｂは、それぞれ被係合片５２、５３に対して開口部３の内方側に配置されて、被係合片５２、５３に沿って配置される。
【００３１】
２つの連結部６５、６６は、それぞれ対向部６２Ａ、６２Ｂから開口部３の外方側に突出する突出部であり、見込み方向に離して並置される。見込み方向の一方側の連結部６５は、見込み方向の一方側に位置する取付部６０の先端部に形成され、見込み方向の他方側の連結部６６は、見込み方向における取付部６０の中間部に形成されている。傾斜部６７は、係合片６４と対向部６２Ａの間で、見込み方向に対して傾斜して形成され、係合片６４と対向部６２Ａを連結する。
【００３２】
２つの係合片６３、６４は、見込み方向に沿って形成されて、それぞれ連結部６５、６６の先端部から見込み方向の他方側に突出する。また、連結部６５、６６と同様に、２つの係合片６３、６４は、対向部６２Ａ、６２Ｂに対して開口部３の外方側に設けられて、見込み方向に離して並置される。見込み方向の一方側の係合片６３は、取付部６０の先端部に設けられ、見込み方向の他方側の係合片６４は、見込み方向において、係合片６３と押縁４０の保持部２６の間に設けられる。
【００３３】
係合片６３、６４は、見付け方向にずれることなく、見付け方向の同じ位置に配置される。２つの凹部６８、６９は、見込み方向の他方側に向かって開放された溝部であり、対向部６２Ａ、６２Ｂ、連結部６５、６６、及び、係合片６３、６４により形成される。見込み方向の一方側の凹部６８は、係合片６３に対して開口部３の内方側に設けられ、見込み方向の他方側の凹部６９は、係合片６４に対して開口部３の内方側に設けられる。
【００３４】
枠本体３０の被取付部５０は、係合片６３、６４のそれぞれを通過させる通過口５８、５９を有する。見込み方向の一方側の通過口５８は、被係合片５２とガイド面３２の間に形成され、見込み方向の他方側の通過口５９は、被係合片５２、５３の間に形成される。見込み方向において、通過口５８の幅は、係合片６３の長さよりも広く、通過口５９の幅は、係合片６４の長さよりも広い。押縁４０の取付部６０を枠本体３０の被取付部５０に取り付けるとき、及び、押縁４０の取付部６０を枠本体３０の被取付部５０から取り外すときに、係合片６３が通過口５８を通過するとともに、係合片６４が通過口５９を通過する。
【００３５】
２つの係合片６３、６４は、通過口５８、５９の間隔に対応した間隔に形成され、通過口５８、５９を同時に通過可能である。係合片６３、６４の通過時に、被係合片５２は、２つの係合片６３、６４の間の部分を通過する。押縁４０の取付部６０を枠本体３０の被取付部５０に取り付けるときに、取付部６０に設けられた係合片６３、６４は、通過口５８、５９を開口部３の外方側に向かって通過した後、見込み方向の他方側に移動する。これにより、２つの係合片６３、６４が、それぞれ被取付部５０に設けられた被係合片５２、５３に係合する。
【００３６】
押縁４０の係合片６３、６４は、枠本体３０の被係合片５２、５３に引っ掛かる状態で、被係合片５２、５３に係合する。これにより、押縁４０の取付部６０が、枠本体３０の被取付部５０に係合して取り付けられる。その状態で、係合片６３、６４は、それぞれ枠本体３０の凹部５６、５７に収容されて、被係合片５２、５３と見込み部５１の間に配置される。また、係合片６３、６４は、被係合片５２、５３に重ね合わされて係合する。被係合片５２、５３は、それぞれ押縁４０の凹部６８、６９に収容されて、係合片６３、６４と対向部６２Ａ、６２Ｂの間に配置される。
【００３７】
被係合片５３の先端部は、押縁４０の連結部６６に接触する。これにより、見込み方向の他方側に向かう押縁４０の移動が阻止されて、押縁４０が位置決めされる。押縁４０は、被係合片５２、５３に係合する係合片６３、６４により、枠本体３０の被取付部５０に保持される。その状態で、係合片６３の先端部は、枠本体３０の連結部５４に対向し、被係合片５２の先端部は、押縁４０の連結部６５に対向する。また、パネル体４は、押縁４０の保持部２６と枠本体３０の保持部２５の間に配置される。
【００３８】
枠本体３０の被取付部５０と押縁４０の取付部６０は、係合片６３、６４をガイドする一対のガイド部７０、７１を有する。一対のガイド部７０、７１により、係合片６３、６４は、それぞれ被係合片５２、５３に向かってガイドされる。ここでは、取付部６０のガイド部７０は、２つの係合片６３、６４の間に設けられた傾斜部６７であり、係合片６３、６４の突出方向に対して傾斜する。また、被取付部５０のガイド部７１は、連結部５４に接続する被係合片５２の角部であり、凸状の湾曲面に形成されている。取付部６０の被取付部５０への取り付け時に、一対のガイド部７０、７１により、係合片６３、６４が被係合片５２、５３への係合位置にガイドされる。
【００３９】
図５〜図１１は、押縁４０の取付部６０を枠本体３０の被取付部５０に取り付ける手順を示す断面図である。
図示のように、取付部６０の取り付け前に、ガスケット１７を枠本体３０の保持部２５に取り付けて、パネル体４を枠本体３０の開口部３に配置する。なお、パネル体４は、見込み方向の他方側（室外側）から枠本体３０の開口部３に向かって移動して、左右けんどん式に開口部３に配置される。また、パネル体４は、ガスケット１７、バックアップ材１８、シール材１９により、保持部２５、２６以外の保持部１３〜１６、２３、２４に保持される（図２、図３参照）。
【００４０】
続いて、押縁４０を見込み方向の他方側から開口部３に移動させて、押縁４０の取付部６０を取付空間３３に配置する（図５参照）。また、取付部６０の先端部を枠本体３０のガイド面３２に接触させ、押縁４０の保持部２６をパネル体４に接触させる。次に、押縁４０を、パネル体４とガイド面３２をスライドさせて、パネル体４とガイド面３２に沿って、開口部３の外方側に移動させる（図６参照）。その際、ガイド面３２は、押縁４０と接触して、押縁４０の取付部６０を枠本体３０の被取付部５０に向かってガイドする。これにより、押縁４０の取付部６０を枠本体３０の被取付部５０に向かって移動させて、押縁４０（取付部６０）のガイド部７０を枠本体３０（被取付部５０）のガイド部７１に接触させる。
【００４１】
押縁４０のガイド部７０は、ガイド面３２のガイドにより、枠本体３０のガイド部７１に向かってガイドされてガイド部７１に接触する。続いて、押縁４０を開口部３の外方側に押して、押縁４０の取付部６０を枠本体３０の被取付部５０に押し付ける。被取付部５０に対する取付部６０の押し付けに伴い、一対のガイド部７０、７１が、互いに接触して、押縁４０の係合片６３、６４を枠本体３０の被係合片５２、５３に向かって変位させる。また、互いに接触する一対のガイド部７０、７１により、係合片６３、６４を被係合片５２、５３に引っ掛かる位置にガイドして変位させる（図７〜図９参照）。
【００４２】
一対のガイド部７０、７１の一方は、被取付部５０と取付部６０の一方に設けられて、係合片６３、６４を被係合片５２、５３に向かって変位させる変位ガイドである。一対のガイド部７０、７１の他方は、被取付部５０と取付部６０の他方に設けられて、変位ガイドをスライドするスライド部である。ここでは、変位ガイドは、取付部６０に設けられたガイド部７０であり、係合片６３、６４のガイド方向に沿って形成される。ガイド部７０は、開口部３の内方側から外方側に向かってみたときに、見付け方向に対して、見込み方向の他方側に傾斜する。また、スライド部は、被取付部５０に設けられたガイド部７１であり、ガイド部７０のガイド面に接触する。
【００４３】
被取付部５０に対する取付部６０の押し付けに伴い、枠本体３０のガイド部７１は、押縁４０のガイド部７０を相対的にスライドして、ガイド部７０に沿って相対的に変位する。また、ガイド部７１は、ガイド部７０のガイドにより、押縁４０の係合片６３、６４を、それぞれ枠本体３０の被係合片５２、５３まで変位させる。その際、押縁４０のガイド部７０が枠本体３０のガイド部７１に対して変位することで、押縁４０が、開口部３の外方側に変位しつつ、見込み方向の他方側に変位する。即ち、被取付部５０に取付部６０を押し付ける見付け方向の力により、押縁４０のガイド部７０が、枠本体３０のガイド部７１に対して係合片６３、６４のガイド方向に変位する。ガイド部７０の変位により、係合片６３、６４は、それぞれ被係合片５２、５３に引っ掛かる位置にガイドされて、被係合片５２、５３に引っ掛かる位置に変位する。
【００４４】
枠本体３０のガイド部７１が押縁４０のガイド部７０の端部までスライドしたときに、ガイド部７１が押縁４０の対向部６２Ａに接触する。続いて、押縁４０がガイド部７１を中心に回転するように変位することで、押縁４０の保持部２６が、開口部３の外方側に移動しつつ、見込み方向の他方側に変位する。これに伴い、押縁４０の突起６１Ｂが枠本体３０の被係合片５３に接触して、押縁４０が停止する。また、押縁４０の保持部２６は、パネル体４から離れて、パネル体４に対向して配置される。その状態で、押縁４０の係合片６３、６４の先端部は、枠本体３０の被係合片５２、５３の先端部に対して開口部３の外方側に配置され、被係合片５２、５３の先端部に引っ掛かる位置で停止する。
【００４５】
続いて、押縁４０を見込み方向の他方側へ移動させて、押縁４０の係合片６３、６４を枠本体３０の被係合片５２、５３に引っ掛かる状態で係合する（図１０参照）。押縁４０は、見込み方向に離れた２箇所で、枠本体３０の被取付部５０に係合により取り付けられる。また、パネル体４は、枠本体３０の保持部２５と押縁４０の保持部２６の間に配置される。その後、バックアップ材１８とシール材１９を、押縁４０の保持部２６とパネル体４の間に順に挿入する（図１１参照）。バックアップ材１８の挿入により、係合片６３、６４が被係合片５２、５３に確実に係合した状態に維持される。パネル体４は、ガスケット１７、バックアップ材１８、シール材１９を介して、枠本体３０の保持部２５と押縁４０の保持部２６に保持される。
【００４６】
以上説明した押縁４０の取付構造８Ａでは、枠５によりパネル体４を保持するときに、押縁４０を枠本体３０に容易に取り付けて、押縁４０の施工性を向上させることができる。また、押縁の係合片６３、６４を枠本体３０の被係合片５２、５３に確実に係合することができる。そのため、施工不備の発生を抑制して、施工の品質を向上させることができる。押縁４０の取り付け時に、押縁４０とパネル体４の間に指を入れる必要がなく、押縁４０の取り付け作業を簡単にすることができる。
【００４７】
枠本体３０のガイド面３２により、押縁４０の取付部６０を枠本体３０の被取付部５０に円滑に押し付けることができる。また、ガイド部７０、７１が変位ガイドとスライド部であるため、取付部６０と被取付部５０の構造が複雑になるのを抑制しつつ、係合片６３、６４を確実にガイドすることができる。２つの係合片６３、６４を２つの被係合片５２、５３に係合することで、枠本体３０に対する押縁４０の取り付け強度を向上させて、押縁４０を安定させることができる。
【００４８】
図１２〜図１４は、他の実施形態の押縁４０の取付構造８Ｂ〜８Ｄを示す断面図であり、図１１と同様に、カーテンウォール１の縦断面図を示している。
なお、図１２〜図１４に示す押縁４０の取付構造８Ｂ〜８Ｄは、基本的には、図３に示す押縁４０の取付構造８Ａと同様に構成されている。従って、以下では、既に説明した事項と相違する事項を説明し、既に説明した事項と同じ事項の説明は省略する。また、押縁４０の取付構造８Ｂ〜８Ｄに関して、押縁４０の取付構造８Ａが備える構成に相当する構成には、押縁４０の取付構造８Ａの構成と同じ名称と符号を用いる。
【００４９】
図１２に示す押縁４０の取付構造８Ｂでは、見込み方向の一方側の被係合片５２が、見込み方向の他方側の被係合片５３よりも開口部３の外方側の位置に形成されている。また、見込み方向の一方側の係合片６３が、見込み方向の他方側の係合片６４よりも開口部３の外方側の位置に配置される。このように、枠本体３０の被係合片５２、５３を、見付け方向にずらして、見付け方向の異なる位置に形成してもよい。同様に、押縁４０の係合片６３、６４を、見付け方向にずらして、見付け方向の異なる位置に配置してもよい。押縁４０の係合片６３、６４は、被係合片５２、５３の位置に対応して、押縁４０の取付部６０に形成される。
【００５０】
図１３に示す押縁４０の取付構造８Ｃでは、枠本体３０の被取付部５０は、パネル体４に対して開口部３の外方側（ここでは、下側）に配置される。また、連結部５４、５５と被係合片５２、５３は、見込み部５１に対して開口部３の外方側に設けられる。枠本体３０のガイド面３２は、被取付部５０に対して開口部３の外方側に形成される。押縁４０の取付部６０は、被取付部５０に対して開口部３の外方側に配置され、連結部６５、６６と係合片６３、６４は、対向部６２Ａ、６２Ｂに対して開口部３の内方側に設けられる。押縁４０の取付部６０は、ガイド面３２によりガイドされて、開口部３の内方側に移動し、被取付部５０に押し付けられる。
【００５１】
図１４に示す押縁４０の取付構造８Ｄでは、被取付部５０のガイド部７１が変位ガイドであり、取付部６０のガイド部７０がスライド部である。ガイド部７１は、ガイド面３２と見込み部５１の間に形成されて、見込み方向（被係合片５２、５３の突出方向）に対して傾斜する。ガイド部７０は、連結部６５に接続する係合片６３の角部であり、凸状の湾曲面に形成されている。ガイド部７０は、ガイド部７１をスライドして、ガイド部７１に沿って変位する。このように、変位ガイドを被取付部５０に設けてもよく、スライド部を取付部６０に設けてもよい。
【００５２】
なお、枠本体３０と押縁４０は、金属製であってもよく、合成樹脂製であってもよい。また、押縁４０をパネル体４又はガイド面３２に接触させずに移動させてもよい。この場合には、押縁４０の取付部６０を枠本体３０の被取付部５０に向かって移動させて、一対のガイド部７０、７１を互いに接触させる。１つ、又は、３つ以上の被係合片を枠本体３０の被取付部５０に設け、１つ、又は、３つ以上の係合片を押縁４０の取付部６０に設けてもよい。
【００５３】
押縁の取付構造及び取付方法は、カーテンウォール１の枠５に限定されず、枠本体と押縁によりパネル体を保持する種々の枠（例えば、窓枠、他の建具枠）に適用することができる。また、枠は、無目に限定されず、無目以外の枠（例えば、方立、縦枠、下枠、上枠）であってもよい。見込み方向の一方側が室外側であってもよく、見込み方向の他方側が室内側であってもよい。見込み方向の一方側と他方側は、各枠の設置場所や各枠における押縁の位置等に応じて設定される。開口部の内方側と外方側は、開口部に対する各枠の位置等に応じて設定される。従って、開口部の内方側が下側以外の側（例えば、上側、右側、左側）であってもよく、開口部の外方側が上側以外の側（例えば、下側、右側、左側）であってもよい。
【符号の説明】
【００５４】
１・・・カーテンウォール、２・・・枠体、３・・・開口部、４・・・パネル体、５・・・枠、６・・・方立、７・・・無目、１０・・・基部、１１・・・収容部、１２・・・収容部、１３・・・保持部、１４・・・保持部、１５・・・保持部、１６・・・保持部、１７・・・ガスケット、１８・・・バックアップ材、１９・・・シール材、２０・・・カバー、２１・・・収容部、２２・・・収容部、２３・・・保持部、２４・・・保持部、２５・・・保持部、２６・・・保持部、３０・・・枠本体、３１・・・基部、３２・・・ガイド面、３３・・・取付空間、４０・・・押縁、５０・・・被取付部、５１・・・見込み部、５２・・・被係合片、５３・・・被係合片、５４・・・連結部、５５・・・連結部、５６・・・凹部、５７・・・凹部、５８・・・通過口、５９・・・通過口、６０・・・取付部、６３・・・係合片、６４・・・係合片、６５・・・連結部、６６・・・連結部、６７・・・傾斜部、６８・・・凹部、６９・・・凹部、７０・・・ガイド部、７１・・・ガイド部。
【図１】
2018076753.tif 000003
【図２】
2018076753.tif 000004
【図３】
2018076753.tif 000005
【図４】
2018076753.tif 000006
【図５】
2018076753.tif 000007
【図６】
2018076753.tif 000008
【図７】
2018076753.tif 000009
【図８】
2018076753.tif 000010
【図９】
2018076753.tif 000011
【図１０】
2018076753.tif 000012
【図１１】
2018076753.tif 000013
【図１２】
2018076753.tif 000014
【図１３】
2018076753.tif 000015
【図１４】
2018076753.tif 000016